(57)【特許請求の範囲】
【請求項１】
ケースに設けられた孔に挿通されるコードを固定するためのコードホルダであって、
上記ケースに設けられ、上記コードに圧接して上記コードをその引き出し方向に対して折り返す方向に屈折させる突出部と、
屈折した上記コード及び上記突出部が挿入される挿入孔が設けられると共に、上記挿入孔の両側に上記コードを位置規制する規制板部が立設され、上記ケースに取り付けられて上記コードを保持する押さえ板と、
から構成されることを特徴とするコードホルダ。
【請求項２】
上記ケースに設けられた孔近傍であって、上記突出部の手前で上記コードを引き出し方向に対して屈折させた状態で圧接する規制手段が上記押さえ板に設けられたことを特徴とする請求項１記載のコードホルダ。
【発明の詳細な説明】
【０００１】
【発明の属する技術分野】
本発明はコードの一部を固定するためのコードホルダに関する。詳しくは押さえ板によってコードをその引き出し方向に対して折り返すように屈折させた状態で保持することにより、異なる径のコードを確実に保持することができるとともに、コードの取付作業が容易かつ安全なコードホルダに関する。
【０００２】
【従来の技術】
従来、電子機器、例えば図６に示すようオーディオシステムコンポではキャビネット２は、底板３にフロントパネル５及びリヤパネル６を取り付け、さらにカバー４を取り付けることにより組み立てられる。ここでキャビネット２にはＡＣコード１を挿通させる必要がある。このＡＣコード１はキャビネット２内部の変圧器等に直接接続されるもので、オーディオシステムコンポ本体に外部から電源を供給するものである。
【０００３】
このようなオーディオシステムコンポではＡＣコード１の途中にコードホルダ１０を噛ませ、このコードホルダ１０をキャビネット２に固定する。これによって使用者がＡＣコード１を不用意に引っ張った場合でも内部の変圧器との断線が防止される。
【０００４】
コードホルダ１０は図７に示すようにプラスチックで成形された円筒体である。このコードホルダ１０の貫通孔１３の内面の一部に断面が矩形状の突出部１４が設けられ、突出部１４と対向する面に凹設部１５が設けられる。貫通孔１３に挿通されたＡＣコード１は突出部１４によって凹設部１５に押し込まれる。これによってＡＣコード１が蛇行した状態で保持され、突出部１４の前後の角部１４ａ，１４ｂ及び凹設部１５の前後の縁部１５ａ，１５ｂがＡＣコード１の外面に噛んで、コードホルダ１０がＡＣコード１に固着される。
【０００５】
また、コードホルダ１０の外径はキャビネット２の内側ほど小さくなるように成形されるとともに、その外周には溝部１１が設けられている。このコードホルダ１０をキャビネット２に取り付けるときは、その小径側を先にして底板３の後側折曲部３ａ（図６）に設けられた挿通孔１２に外側から圧入する。このとき、小径側の先端から次第に径が大きくなっているので、挿通孔１２の縁がこれに案内され、コードホルダ１０の溝部１１が挿通孔１２に嵌合固定される。
【０００６】
コードホルダ１０が取り付けられた後は、ＡＣコード１が引っ張られた場合にもＡＣコード１がコードホルダ１０によって固定されているため、装置内部の電子部品との断線が防止される。
【０００７】
【発明が解決しようとする課題】
ところで、従来のコードホルダ１０の貫通孔１３の径は挿通されるＡＣコード１の径に基づいて設定されている。これは貫通孔１３の径が必要以上に大きいとＡＣコード１を保持することができなくなり、また貫通孔１３の径が小さすぎると突出部１４の角部１４ａ，１４ｂ及び凹設部１５の縁部１５ａ，１５ｂが過度にくい込んでＡＣコード１を痛めるからである。
【０００８】
ここでオーディオシステムコンポ等は複数の国で販売されるのが一般的であり、ＡＣコード１の径はその国ごとに異なる。従って、コードホルダ１０は国ごとにそれぞれ対応したものをあらかじめ用意しなければならず、コストアップの原因となっていた。
【０００９】
また、図８に示すように挿通孔１２から変圧器（図示せず）間での距離に対応してＡＣコード１の先端から所定の長さＬの位置にコードホルダ１０は取り付ける必要がある。このため、長さＬを計測するための治具を使って取付位置を決定した後にコードホルダ１０を取り付けていた。しかし、このような治具を使ったコードホルダ１０の取付作業は煩雑であるという問題があった。しかもコードホルダ１０はＡＣコード１に強固に固着されるため、誤った位置に取り付けてしまったときやメンテナンスを行うときにコードホルダ１０を取り外す作業が面倒であるという問題があった。
【００１０】
さらに、図７に示すようにコードホルダ１０は折曲部３ａの挿通孔１２に外側から圧入されて取り付けられるが、挿通孔１２と溝部１１の嵌合も強固に設定する必要があるため、圧入にはかなりの力を要するように設計されているのが普通である。このため、組立作業が煩雑となり製造工程の効率化の障害となっていた。さらに、底板部３（図６）が金属製である場合にはコードホルダ１０を圧入する際に作業員が誤って底板部３の鋭利な角部で怪我をするおそれがあった。
【００１１】
そこで、本発明は上述したような問題を解決したものであって、異なる径のコードを保持することができ、取付作業が容易かつ安全なコードホルダを提案するものである。
【００１２】
【課題を解決するための手段】
上述の課題を解決するため、本発明においては、ケースに設けられた孔に挿通されるコードを固定するためのコードホルダであって、ケースに設けられ、コードに圧接してコードをその引き出し方向に対して折り返す方向に屈折させる突出部と、屈折したコード及び突出部が挿入される挿入孔が設けられると共に、挿入孔の両側にコードを位置規制する規制板部が立設され、ケースに取り付けられてコードを保持する押さえ板と、から構成されることを特徴とするものである。
【００１３】
押さえ板を取り付けると、突出部の頂部がコードに圧接されるとともに、挿入孔によってコードが折り返した状態で屈折し、強固に保持される。従って、コードが外側から引っ張られた場合でも、内部の電子部品等との断線が防止される。
【００１４】
【発明の実施の形態】
続いて、本発明に係るコードホルダについて図面を参照して詳細に説明する。図１及び図２に示すように本発明に係るコードホルダ２０はリヤパネル２２の挿通孔２４に挿通されるＡＣコード１を固定するものであり、電子機器のキャビネット２のリヤパネル２２の下側左隅に配置されている。コードホルダ２０は、リヤパネル２２の内面に一体的に形成された係合部２６と、この係合部２６に取付固定される押さえ板２７とから構成される。この係合部２６と押さえ板２７はＡＣコード１を折り返して屈折させた状態で保持し、コードが外側から引っ張られた場合でも内部の電子部品等との断線を防止するものである。
【００１５】
まず、係合部２６について説明する。図２に示すようにこの係合部２６においてはリヤパネル２２に角柱部（突出部）３１が立設される。角柱部３１は後述するように角孔４１にＡＣコード１を押し込むことにより、ＡＣコード１を折り返した状態で保持するためのものである。
【００１６】
角柱部３１の上側及び下側には垂直方向に平行な２枚の係合リブ３２ａ，３２ｂがそれぞれ連設されている。これら係合リブ３２ａ，３２ｂのリヤパネル２２面からの高さは角柱部３１よりも低く設定されている。係合リブ３２ａ，３２ｂの上部及び下部の角部は後述するようにＡＣコード１に噛んでこれを保持するものである。
【００１７】
下側の係合リブ３２ｂ，３２ｂの左右には固定用円柱部３３，３３がそれぞれ立設され、その頂面にはネジ穴３４，３４が設けられる。また、角柱部３１の右側及び上側の係合リブ３２ａ，３２ａの左側にはそれぞれ支持用円柱部３５，３５が設けられる。支持用円柱部３５，３５の頂面は固定用円柱部３３，３３とは異なりネジ穴等は設けられていない。これら円柱部３３，３５は押さえ板２７を固定又は支持するためのものであり、リヤパネル２２面からの高さは同一に設定されており、係合リブ３２ａ，３２ｂよりも高くかつ角柱部３１よりも低く設定されている。
【００１８】
支持用円柱部３５，３５の下側近傍には比較的径の小さい位置決めピン３６，３６がリヤパネル２２からそれぞれ立設されている。位置決めピン３６，３６は後述する押さえ板２７に係合してその取付位置を規制するものである。位置決めピン３６，３６に一定の強度を与えるために、左側の位置決めピン３６は支持用円柱部３５と補強リブ３７で一体的に連結されており、右側の位置決めピン３６は補強リブ３７，３７で右側の固定用円柱部３３と支持用円柱部３５に一体的に連結される。
【００１９】
続いて、押さえ板２７について説明する。押さえ板２７はプラスチック製の板状体であり、その形状はキャビネット２の内部構造に対応して任意に形成される。この押さえ板２７のリヤパネル２２に対向する面を後面２７ｂとし、その反対側の面を前面２７ａとする。
【００２０】
押さえ板２７の略中央には角柱部３１が挿入される矩形の角孔４１が設けられる。押さえ板２７の前面２７ａ側であってその角孔４１の左右縁部には垂直方向に平行な２個の規制板部４２，４２がそれぞれ立設される。この規制板部４２，４２は角孔４１に挿入されたＡＣコード１を左右方向に位置規制をするためのものである。また、押さえ板２７には固定用円柱部３３，３３のネジ穴３４，３４に対応して孔４５，４５が設けられるとともに、位置決めピン３６，３６に対応して位置決め孔４６，４６が設けられている。
【００２１】
図３に示すように押さえ板２７の後面２７ｂ側下部には水平方向に平行な３個の押さえリブ４３ａ，４３ｂ，４３ｃが形成される。これらの押さえリブ４３ａ，４３ｂ，４３ｃはＡＣコード１に圧接して、これを下側係合リブ３２ｂ，３２ｂ（図２）側に圧着させる規制手段である。押さえリブ４３ａは他の押さえリブ４３ｂ，４３ｃよりも後面２７ｂを基準として低く設定される。これは後述するがＡＣコード１が押さえリブ４３ａに斜めに圧接されるからである。また、押さえリブ４３ａ，４３ｂ，４３ｃはその両端が垂直方向に配された側板部４４で一体的に連結され、ＡＣコード１を保持するのに十分な剛性を与えられる。
【００２２】
以上のように構成されたコードホルダ２０の組立について説明する。まず図４に示すようにＡＣコード１を略Ｕ字状に屈折させて押さえ板２７の角孔４１に挿入する。さらに、ＡＣコード１を押さえリブ４３ａ，４３ｂ，４３ｃの縁部に当接させる。
【００２３】
次に図５に示すように押さえ板２７を係合部２６に取り付ける。押さえ板２７の取り付けは、角柱部３１を角孔４１に挿入し、位置決めピン３６，３６を位置決め孔４６，４６に嵌合させることによって押さえ板２７と係合部２６の位置を決定し、孔４５（図２）を通じてネジ５１を固定用円柱部３３のネジ穴３４（図２）に螺着することによって行う。取り付けられた押さえ板２７はその後面２７ｂに支持用円柱部３５の頂部が当接することにより所定位置に支持される。このとき、押さえリブ４３ｂ，４３ｃはリヤパネル２２の挿通孔２４に対向して配される。
【００２４】
押さえ板２７が取り付けられると、角孔４１に挿入された角柱部３１の頂部３１ａがＡＣコード１を押さえ板２７の前面２７ａ側に押し出すことになり、ＡＣコード１が略Ｕ字状に屈折するとともに、角柱部３１の頂部３１ａの角部がＡＣコード１の外面を噛むことになる。また、押さえリブ４３ａ，４３ｂ，４３ｃがＡＣコード１に圧接されることによってＡＣコード１が挿通孔２４の内側で緩やかな略Ｌ字状に屈折するとともに、押さえリブ４３ａ，４３ｂの先端及び係合リブ３２ｂの角部がそれぞれＡＣコード１の外面を噛んでこれを保持する。さらに、角孔４１から前面２７ａ側に挿通されたＡＣコード１は規制板部４２によって角柱部３１から外れないように位置規制される。
【００２５】
従って、ＡＣコード１を外側から引っ張ると、角柱部３１の頂部３１ａがＡＣコード１の外面にさらに強く噛み合うことになり、ＡＣコード１が強固に保持されて、装置内部の変圧器との断線が防止される。なお、押さえリブ４３ａ，４３ｂ，４３ｃはＡＣコード１が外側から引っ張られた場合に角柱部３１にかかる圧力を分散させる働きをする。
【００２６】
さらに、ＡＣコード１の屈折部分は図中に矢印で示すＡＣコード１の引き出し方向に対して折り返すようになっているので、また、従来のコードホルダ１０（図７）のようにＡＣコード１を単に蛇行させて保持する場合と異なり、多少径の異なるＡＣコード１であっても強固に保持することが可能になるとともに組立作業が容易になる。
【００２７】
これに対してＡＣコード１が外側から押された場合にもＡＣコード１が押さえリブ４３ａ，４３ｂ，４３ｃによって規制されるため、ＡＣコード１と角柱部３１との噛み合いが緩くなるということもない。
【００２８】
また、押さえ板２７はネジ５１により取付固定されるので、従来のコードホルダ１０（図７）のように圧入して取り付けるものと異なり、取付作業が簡易であるとともにリヤパネル２２が金属製であった場合にも安全に取り付けることができる。
【００２９】
さらに、ネジ５１を緩く締めた状態でＡＣコード１を動かして取付位置を調整することができるので、治具等によらず正確な位置にコードホルダ２０を噛ませることができる。
【００３０】
なお、本例ではコードホルダ２０をＡＣコード１を固定するのに用いた場合を説明したが、これに限られず他のコード類であってもよい。
【００３１】
【発明の効果】
以上説明したように本発明は、ケースに設けられた孔に挿通されるコードを固定するためのコードホルダであって、ケースに設けられ、コードに圧接してコードをその引き出し方向に対して折り返す方向に屈折させる突出部と、屈折したコード及び突出部が挿入される挿入孔が設けられると共に、挿入孔の両側にコードを位置規制する規制板部が立設され、ケースに取り付けられてコードを保持する押さえ板と、から構成されることを特徴とするものである。
【００３２】
従って本発明によれば、従来のコードホルダのように圧入して取り付けるタイプと異なり、コードをその引き出し方向に対して折り返すように屈折させた状態で保持するので、異なる径のコードであっても強固に保持することが可能になるとともに取付作業が簡易になる。また、取り付けるケースが金属製であった場合にも安全に取り付けることが可能になる。押さえ板を取り外すことによりコードの取付位置を調整することができるので、治具等によらず正確な位置にコードホルダを噛ませることが可能になる等の効果がある。
【図面の簡単な説明】
【図１】本発明に係るコードホルダ２０を適用した電子機器のキャビネット２を示す斜視図である。
【図２】本発明に係るコードホルダ２０の構成を示す斜視図である。
【図３】押さえ板２７の後面２７ｂ側の形状を示す斜視図である。
【図４】押さえ板２７の角孔４１にＡＣコード１を挿入した状態を示す斜視図である。
【図５】押さえ板２７を係合部２６に取り付けた状態を示す断面図である。
【図６】従来のコードホルダ１０を適用した電子機器のキャビネット２を示す斜視図である。
【図７】従来のコードホルダ１０の構成を示す断面図である。
【図８】従来のコードホルダ１０の取付位置を示す斜視図である。
【符号の説明】
１  ＡＣコード
２  キャビネット
１０，２０  コードホルダ
２４  挿通孔
２６  係合部
２７  押さえ板
３１  角柱部
３２ａ，３２ｂ  係合リブ
３３  固定用円柱部
３５  支持用円柱部
４１  角孔
４３ａ，４３ｂ，４３ｃ  押さえリブ
【図１】
0003716487.tif 000002
【図２】
0003716487.tif 000003
【図３】
0003716487.tif 000004
【図４】
0003716487.tif 000005
【図５】
0003716487.tif 000006
【図６】
0003716487.tif 000007
【図７】
0003716487.tif 000008
【図８】
0003716487.tif 000009